(57)【要約】【課題】既設枠の画像情報を利用して既設枠の形状を効率的かつ正確に特定できるサッシ枠特定システムを提供すること。【解決手段】サッシ枠特定システム１は、撮影した下枠（サッシ枠）４０の画像情報から生成されたキー形状（比較用形状情報）５０を受け付ける受付部２１と、下枠４０の形状に基づく既設下枠形状（特定用形状情報）６０が複数種類登録されるサッシ枠データベース（サッシ枠登録部）２２）と、サッシ枠データベース２２に登録された既設下枠形状６０とキー形状５０を比較し、類似度が所定基準を上回った既設下枠形状６０から下枠４０の種類を特定するサッシ枠判定部２３と、を備える。【選択図】図１
2019168924.tif 000002
【特許請求の範囲】
【請求項１】
撮影したサッシ枠の画像情報から生成された比較用形状情報を受け付ける受付部と、
前記サッシ枠の形状に基づく特定用形状情報が複数種類登録されるサッシ枠登録部と、
前記サッシ枠登録部に登録された前記特定用形状情報と前記比較用形状情報を比較し、類似度が所定基準を上回った前記特定用形状情報から前記サッシ枠の種類を特定するサッシ枠判定部と、を備えるサッシ枠特定システム。
【請求項２】
前記比較用形状情報は、下枠の画像情報であり、
複数種類登録される前記特定用形状情報は、下枠の形状に基づくものである請求項１に記載のサッシ枠特定システム。
【請求項３】
前記比較用形状情報は、下枠、上枠及び縦枠のうち何れか１つの枠の画像情報であり、
複数種類登録される前記特定用形状情報は、前記画像情報に設定された前記枠の形状に基づくものであり、
前記サッシ枠登録部には、前記特定用形状情報に設定された以外の枠の形状情報が前記特定用形状情報に関連付けて登録される請求項１又は２に記載のサッシ枠特定システム。
【請求項４】
前記サッシ枠登録部には、前記特定用形状情報に関連付けて納まり図の画像情報が登録される請求項１から３の何れかに記載のサッシ枠特定システム。
【請求項５】
前記特定用形状情報に対応する新設サッシ枠に関する新設サッシ枠情報が登録される新設サッシ枠登録部と、
前記サッシ枠判定部によって特定された前記サッシ枠に対応する前記納まり図の画像情報に前記新設サッシ枠情報を反映する画像情報生成部と、を更に備える請求項４に記載のサッシ枠特定システム。
【請求項６】
前記サッシ枠の画像情報は、携帯端末によって撮影されたものであり、
前記携帯端末から受信した情報に基づいて前記サッシ枠判定部によって判定された候補サッシ枠の情報を前記携帯端末に送信可能に構成される請求項１から５の何れかに記載のサッシ枠特定システム。
【発明の詳細な説明】
【技術分野】
【０００１】
本発明は、サッシ枠を特定するサッシ枠特定システムに関する。
【背景技術】
【０００２】
従来、マンション等のリフォームにおいて、既に設置される既設枠を取り外さずに当該既設枠の上に新設枠をかぶせるカバー工法が行われている。カバー工法では、取り付ける新設枠の形状を決めるために、窓枠に水平水準器を当てながら直尺等で既設枠の寸法の測定が行われることがある。特許文献１には、既設サッシの既設サッシ枠内に新設サッシの新設サッシ枠を取り付けて既設サッシを新設サッシに改修する際に、既設サッシ枠の開口高さに応じた新設サッシ枠の高さを採寸するサッシ改修用採寸治具について記載されている。
【先行技術文献】
【特許文献】
【０００３】
【特許文献１】特開２０１５−２２４４６８号公報
【発明の概要】
【発明が解決しようとする課題】
【０００４】
ところで、採寸して取得した寸法に基づいて手書きでスケッチしたものをＣＡＤ化し、当該ＣＡＤ化に基づいて新設枠を決定したり、納まり図を作成してリフォーム後のイメージ確認を行ったりすることがある。しかし、現場でのスケッチが正確に行われていなければカバー工法で使用する下地材の選定ができないため、再測定を行わなければならなくなる。また、実際の現場では居住中の場合等、測定に十分な時間がとれないこともあり、経験を積んだ作業者が作業する必要があった。
【０００５】
本発明は、画像情報を利用して既設枠の形状を効率的かつ正確に特定できるサッシ枠特定システムを提供することを目的とする。
【課題を解決するための手段】
【０００６】
本発明は、撮影したサッシ枠（例えば、後述の下枠４０）の画像情報から生成された比較用形状情報（例えば、後述のキー形状５０）を受け付ける受付部（例えば、後述の受付部２１）と、前記サッシ枠の形状に基づく特定用形状情報（例えば、後述の既設下枠形状６０）が複数種類登録されるサッシ枠登録部（例えば、後述のサッシ枠データベース２２）と、前記サッシ枠登録部に登録された前記特定用形状情報と前記比較用形状情報を比較し、類似度が所定基準を上回った前記特定用形状情報から前記サッシ枠の種類を特定するサッシ枠判定部（例えば、後述のサッシ枠判定部２３）と、を備えるサッシ枠特定システム（例えば、後述のサッシ枠特定システム１）に関する。
【０００７】
前記サッシ枠特定システムは、前記比較用形状情報が、下枠の画像情報であり、複数種類登録される前記特定用形状情報は、下枠の形状に基づくものであることが好ましい。
【０００８】
前記サッシ枠特定システムは、前記比較用形状情報が、下枠、上枠及び縦枠のうち何れか１つの枠の画像情報であり、複数種類登録される前記特定用形状情報は、前記画像情報に設定された前記枠の形状に基づくものであり、前記サッシ枠登録部には、前記特定用形状情報に設定された以外の枠の形状情報が前記特定用形状情報に関連付けて登録されることが好ましい。
【０００９】
前記サッシ枠特定システムは、前記サッシ枠登録部には、前記特定用形状情報に関連付けて納まり図の画像情報が登録されることが好ましい。
【００１０】
前記サッシ枠特定システムは、前記特定用形状情報に対応する新設サッシ枠に関する新設サッシ枠情報が登録される新設サッシ枠登録部（たとえば、後述の新設サッシデータベース２４）と、前記サッシ枠判定部によって特定された前記サッシ枠に対応する前記納まり図の画像情報に前記新設サッシ枠情報を反映する画像情報生成部（例えば、後述の画像情報生成部２５）と、を更に備えることが好ましい。
【００１１】
前記サッシ枠特定システムは、前記サッシ枠の画像情報が、携帯端末（例えば、後述のスマートフォン１０）によって撮影されたものであり、前記携帯端末から受信した情報に基づいて前記サッシ枠判定部によって判定された候補サッシ枠の情報を前記携帯端末に送信可能に構成されることが好ましい。
【発明の効果】
【００１２】
本発明のサッシ枠特定システムによれば、画像情報を利用して既設枠の形状を効率的かつ正確に特定できる。
【図面の簡単な説明】
【００１３】
【図１】本発明の一実施形態に係るサッシ枠特定システムの基本的構成を示す図である。
【図２】本実施形態のキー形状（比較形状情報）の生成の説明図である。
【図３】本実施形態のサッシ枠データベースに登録される複数種類の既設下枠形状（特定用形状情報）のリストを示す一例である。
【図４】Ｚｅｒｎｉｋｅ Ｍｏｍｅｎｔによる類似度の判定処理を段階的に示す説明図である。
【図５】Ｇｒｉｄ Ｆｏｕｒｉｅｒによる類似度の判定処理を段階的に示す説明図である。
【図６】Ｌｉｎｅ Ｄｉｒｅｃｔｉｏｎによる類似度の判定処理を段階的に示す説明図である。
【図７】本実施形態のスマートフォンの操作によるサッシ枠特定を説明する説明図である。
【図８】本実施形態のサッシ枠特定システムの処理の流れを示すフローチャートである。
【発明を実施するための形態】
【００１４】
以下、本発明の好ましい実施形態について、図面を参照しながら説明する。
【００１５】
図１は、本発明の一実施形態に係るサッシ枠特定システム１の基本的構成を示す図である。図２は、本実施形態のキー形状５０（比較形状情報）の生成の説明図である。まず、サッシ枠特定システム１の全体構成について説明する。
【００１６】
本実施形態のサッシ枠特定システム１は、スマートフォン１０と、サッシ枠特定サーバ２０と、指定コンピュータ３０と、を含むように構成される。
【００１７】
スマートフォン１０、サッシ枠特定サーバ２０及び指定コンピュータ３０は、ネットワーク２を介して接続されており、相互に通信可能となっている。なお、ネットワーク２の種類に特に限定はない。例えば、インターネットやＬＡＮ（Local Area Network）によりネットワーク２を実現できる。
【００１８】
スマートフォン１０は、撮影部としてのカメラ、表示画面及び操作部としてのタッチパネルディスプレイを備え、無線通信によりネットワーク２に接続可能に構成される携帯端末である。本実施形態のスマートフォン１０は、撮影した下枠４０の画像情報から所定のアルゴリズムで処理してキー形状５０を生成し、サッシ枠特定サーバ２０に送信する。
【００１９】
サッシ枠特定サーバ２０は、スマートフォン１０とは物理的に離れた場所に設置されるコンピュータである。スマートフォン１０から送信されるキー形状５０に基づいて下枠４０の特定を行う。なお、サッシ枠特定サーバ２０とスマートフォン１０の通信には暗号化等のセキュリティ対策が行われることが好ましい。
【００２０】
次に、スマートフォン１０によって生成されるキー形状５０について説明する。図１の「下枠の撮影」に示すように、スマートフォン１０を用いて下枠４０の外側（例えば見込面側）を撮影する。この画像情報では、サッシ枠特定サーバ２０で下枠４０を特定できないため、下枠４０の断面形状の特徴を有する画像に変換する。この画像変換の方法は、適宜の方式を採用できる。
【００２１】
図２の下部に示すキー形状５０が、下枠４０の外側を撮影した画像情報から生成された比較形状情報である。図２の上部に示す実際の下枠４０の形状と比較すると判るように、キー形状５０自体が下枠４０の断面形状に精密に一致する必要はなく、サッシ枠特定サーバ２０が特定できる程度に断面形状の特徴が表現されていればよい。なお、キー形状５０が実際の下枠４０の形状に一致するように精密に再現されることを本発明から排除するわけではない。
【００２２】
本実施形態では、サッシ枠特定システム１専用のアプリケーションソフトウェアをスマートフォン１０に予めインストールし、該アプリケーションソフトによって下枠４０を特定するためのキー形状５０を生成する処理が行われる。ユーザは、スマートフォン１０を操作してアプリケーションソフトを起動し、アプリケーションソフトの指示（表示）に従って下枠４０の撮影を行う。スマートフォン１０は、撮影された画像情報から生成されたキー形状５０をサッシ枠特定サーバ２０に送信する。
【００２３】
次に、サッシ枠特定サーバ２０の構成について説明する。図１に示すように、本実施形態のサッシ枠特定サーバ２０は、受付部２１と、サッシ枠データベース２２と、サッシ枠判定部２３と、新設サッシデータベース２４と、画像情報生成部２５と、を含むように構成される。
【００２４】
受付部２１は、ネットワーク２を介してスマートフォン１０からキー形状５０を受け付ける入力部である。
【００２５】
サッシ枠データベース２２は、既存のサッシ枠に関する情報が登録されるサッシ枠登録部である。サッシ枠データベース２２には、上述のキー形状５０と比較するために既設下枠形状（特定用形状情報）６０がサッシ枠の種類ごとに複数記憶される。図３は、本実施形態のサッシ枠データベース２２に登録される複数種類の既設下枠形状６０のリストを示す一例である。既設下枠形状６０は、例えば拡張子ＤＷＧ．等のＣＡＤ情報でサッシ枠データベース２２に記憶される。
【００２６】
本実施形態のサッシ枠データベース２２には、既設下枠形状６０だけではなく、既設下枠形状６０に対応する文字情報や上枠及び縦枠の画像情報等の関連情報６６が記憶される。文字情報は、メーカー名、商品名、発売年代、図番等を示す情報である。画像情報は、既設下枠形状６０に対応する上枠、縦枠、下地材、クレセント錠等の部品を示す画像やサッシ枠の納まり図を示す画像等である。本実施形態の納まり図は、サッシ枠を建物に取り付けた状態を示す画像であり、横断面や縦断面等の断面図を含むものである。なお、これらの文字情報や画像情報が記憶される場所は、サッシ枠データベース２２に限られず、外部データベースであり、外部データベースから読み出す形式であってもよい。
【００２７】
サッシ枠判定部２３は、受付部２１が受け付けたキー形状５０と、サッシ枠データベース２２に登録される既設下枠形状６０と、を比較し、類似度が基準値を上回った特定用形状情報を候補下枠として設定する。
【００２８】
本実施形態のサッシ枠判定部２３は、Ｚｅｒｎｉｋｅ Ｍｏｍｅｎｔ、Ｇｒｉｄ Ｆｏｕｒｉｅｒ又はＬｉｎｅ Ｄｉｒｅｃｔｉｏｎの３つのフィルタ（判定方法）から１つを選ぶことができる。以下、各方法について説明する。
【００２９】
図４は、Ｚｅｒｎｉｋｅ Ｍｏｍｅｎｔによる類似度の判定処理を段階的に示す説明図である。Ｚｅｒｎｉｋｅ Ｍｏｍｅｎｔは、図面重心を中心とする座標系を定義し、その座標系上の関数へ投影した値の総和を計算する方法である。
【００３０】
図４（ａ）に示すように、並進対応を行うために画像情報における図面重心を極座標の中心に設定する。次に、図４（ｂ）に示すように、スケール変化に対応するためにスケールの統一処理を行う。図４（ｃ）に示すように、全体的に平均的なパターンのものや変化の激しいパターンのもの等、画像中心から同心円状に広がる関数を、関数１，関数２・・・のように複数生成する。続いて画像の回転に対応するため、図４（ｄ）のグラフに示す処理を行う。図４（ｄ）のグラフの横軸は「関数の種類」（関数１，関数２・・）であり、縦軸は「関数に図面を投影した画素ごとの積の総和」である。この処理により、関数に図面を投影した画素ごとの積の総和を関数の種類別に並べて特徴量とする。そして、図４（ｅ）に示すように、特徴量ベクトル間のユークリッド距離を計算して比較し、類似度を算出する。サッシ枠判定部２３は、この類似度が基準値を上回る場合、類似度が高いため当該下枠を候補として設定する。
【００３１】
図５は、Ｇｒｉｄ Ｆｏｕｒｉｅｒによる類似度の判定処理を段階的に示す説明図である。Ｇｒｉｄ Ｆｏｕｒｉｅｒは、図面重心を中心とする座標系を定義し、グリッド（セル）内の画素数をカウントし、フーリエ展開することで回転不変な特徴量とする方法である。
【００３２】
図５（ａ）に示すように、並進対応を行うために画像情報における図面重心を極座標の中心に設定する。次に、図５（ｂ）に示すように、スケール変化に対応するためにスケールの統一処理を行う。この処理では最遠画素までの距離が等しくなるように変換する。次に、図５（ｃ）に示すように、極座標系でセルに分割する。続いて図５（ｄ）に示すように、各セル内の黒画素数を計算し、ヒストグラムを作成する。図５（ｄ）のヒストグラムは、横軸が「セル番号」であり、縦軸が「黒画素数／セル内の画素数」である。そして、図５（ｅ）に示すように、回転によるセル番号のずれを調整した後のヒストグラムを形状特徴量として比較し、類似度を計算する。サッシ枠判定部２３は、この類似度が基準値を上回る場合、類似度が高いため当該下枠を候補として設定する。
【００３３】
図６は、Ｌｉｎｅ Ｄｉｒｅｃｔｉｏｎによる類似度の判定処理を段階的に示す説明図である。Ｌｉｎｅ Ｄｉｒｅｃｔｉｏｎは、図面を構成する線分から向きに応じたヒストグラムを計算し、フーリエ展開することで回転不変な特徴量データを計算する方法である。
【００３４】
図６（ａ）に示すように、画像の細線化処理を行う。次に、図６（ｂ）に示すように各線分を抽出して並進に対応する。図６（ｃ）に示すように、全ピクセルで線分の方向を算出し、方向のヒストグラムを生成する。図６（ｃ）のヒストグラムは、横軸が「Ｄｉｒｅｃｔｉｏｎ」であり、縦軸が「Ｐｉｘｅｌ Ｎｕｍｂｅｒ」である。続いて図６（ｄ）に示すように、スケール変化に対応するためにヒストグラムの合計を１に規格化し、スケールを統一する。そして、図６（ｅ）に示すように、ヒストグラムをフーリエ変換したものを形状特徴量として比較し、類似度を計算する。サッシ枠判定部２３は、この類似度が基準値を上回る場合、類似度が高いため当該下枠を候補として設定する。
【００３５】
上述のように、本実施形態では３種の判定方法を選択することができる。判定方法の選択は、スマートフォン１０による遠隔操作又はサッシ枠データベース２２の直接操作によって行われる。例えば、図３に示すように、検索条件の設定画面からプルダウンメニューでＺｅｒｎｉｋｅ Ｍｏｍｅｎｔ、Ｇｒｉｄ Ｆｏｕｒｉｅｒ、Ｌｉｎｅ Ｄｉｒｅｃｔｉｏｎの何れかを選択するインターフェースとすることができる。また、判定方法だけでなく、類似度等の設定も変更できるようにしてもよい。
【００３６】
なお、判定方法は、３つのフィルタのうちの１つに固定されていてもよいし、別の方法で画像比較を行うようにしてもよい。
【００３７】
新設サッシデータベース２４には、特定したサッシ枠に取り付けられる新設サッシ枠の画像情報が登録される。新設サッシ枠の画像情報は、後述するサッシ枠判定部２３による判定処理により特定された既設のサッシ枠に取り付けられるものである。
【００３８】
画像情報生成部２５は、既設のサッシ枠の納まり図の画像情報と、選択された新設サッシ枠の画像情報と、に基づいて新設サッシ枠が適用された状態の納まり図の画像情報６５を生成するためのものである（図１参照）。なお、新設サッシ枠の選択は、既設のサッシ枠の特定後に行われる。
【００３９】
次に、サッシ枠特定システム１の処理の流れについて説明する。図７は、本実施形態のスマートフォン１０の操作によるサッシ枠特定を説明する説明図である。図８は、本実施形態のサッシ枠特定システム１の処理の流れを示すフローチャートである。
【００４０】
まず、ユーザは、アプリケーションソフトウェアを起動し、当該アプリケーションソフトウェアによって示される操作手順に従って既設の下枠の撮影を行う。操作手順は、スマートフォン１０の位置、角度や、撮影回数等であり、画像処理の方法に応じて設定される。下枠の画像情報が取得されると、図７（ａ）に示すように、アプリケーションソフトウェアは、当該画像情報を処理してキー形状５０を生成し、インターネット等のネットワーク２を介してサッシ枠特定サーバ２０に当該キー形状５０を送信する。
【００４１】
図８に示すように、サッシ枠特定サーバ２０は、受付部２１がスマートフォン１０からキー形状５０を受信すると形状検索を実行する（ステップＳ１０１、ステップＳ１０２）。形状検索では、サッシ枠データベース２２に登録される下枠の中から類似度が基準値を上回る候補下枠があるか否かが判定される（ステップＳ１０３）。
【００４２】
ステップＳ１０３の判定で類似度が基準値を上回った場合は候補下枠の画像情報をスマートフォン１０に送信し（ステップＳ１０４）、類似度が基準値を上回るものがない又は処理の過程で明らかに異なる画像であることが判明した場合は再測定指示又はエラー結果をスマートフォン１０に送信する（ステップＳ１０５）。
【００４３】
図７（ｂ）に示すように、ステップＳ１０５の処理により、スマートフォン１０には候補下枠が表示され、当該候補下枠で正しいか否かをユーザに問う確認ボタンが表示される。ここで、ユーザは、スマートフォン１０に表示された候補下枠が撮影した下枠と一致すると判断した場合はＯＫ操作を行ってＯＫ情報をサッシ枠特定サーバ２０に送信する。ユーザが、候補下枠が撮影した下枠に一致しないと判断した場合はＮＧ操作を行ってＮＧ情報をサッシ枠特定サーバ２０に送信する。
【００４４】
サッシ枠特定サーバ２０は、スマートフォン１０からＯＫ情報を受信すると縦枠と上枠の画像情報をスマートフォン１０に送信する処理に移行する（ステップＳ１０６，ステップＳ１０７）。ステップＳ１０７の縦枠と上枠の画像情報は、候補下枠に関連付けられる関連情報６６であり、候補下枠の決定に伴ってサッシ枠データベース２２から読み出される。なお、ステップ１０６でＮＧ情報を受信すると、別の候補下枠の画像情報を送信するステップＳ１０４の処理に移行する。このとき、送信される候補下枠は、例えば類似度が次に高かった既設下枠形状６０である。
【００４５】
図７（ｃ）に示すように、ステップＳ１０７の処理により、スマートフォン１０には、左右の縦枠、上枠の画像情報（関連情報６６）が表示される。ここで、ユーザは、スマートフォン１０に表示された左右の縦枠、上枠が現場の縦枠、上枠に一致すると判断した場合はＯＫ操作を行ってＯＫ情報をサッシ枠特定サーバ２０に送信し、一致しないと判断した場合はＮＧ操作を行ってＮＧ情報をサッシ枠特定サーバ２０に送信する。
【００４６】
サッシ枠特定サーバ２０は、スマートフォン１０からＯＫ情報を受信すると納まり図の画像情報を指定先に送信する処理に移行するする（ステップＳ１０８，ステップＳ１０９）。ステップＳ１０８でＮＧ情報を受信すると、ステップＳ１０６と同様に、別の候補下枠の画像情報を送信するステップＳ１０４の処理に移行する。
【００４７】
ステップＳ１０９の処理では、例えば、予め設定される指定先の指定コンピュータ３０に納まり図の画像情報を自動的に送信する（図１参照）。あわせて、スマートフォン１０にも指定先に納まり図の画像情報を送信した結果を通知してもよい。これらの処理により、スマートフォン１０で撮影した画像を利用した下枠４０の形状特定をスムーズかつ迅速に行うことができる。
【００４８】
次に、既設のサッシ枠を特定した後の処理について説明する。なお、移行の処理は、指定コンピュータ３０で行ってもよいし、スマートフォン１０を用いて行ってもよいものとする。ユーザによって新設サッシ枠が選択されると、サッシ枠特定サーバ２０は、選択された新設サッシ枠の画像情報を新設サッシデータベース２４から取得する。
【００４９】
次に、画像情報生成部２５が、ステップＳ１０８で送信された納まり図の画像情報と、選択された新設サッシ枠の画像情報と、に基づいて新設サッシ枠が適用された納まり図の画像情報６５を自動生成する。サッシ枠特定サーバ２０は、生成した納まり図の画像情報６５を指定先である指定コンピュータ３０又はスマートフォン１０に送信する。これにより、ユーザは、作図等の必要なく、新設サッシ枠が反映された納まり図の画像情報６５を取得することができる。
【００５０】
上記実施形態によれば、以下のような効果を奏する。
サッシ枠特定システム１は、撮影した下枠（サッシ枠）４０の画像情報から生成されたキー形状（比較用形状情報）５０を受け付ける受付部２１と、下枠４０の形状に基づく既設下枠形状（特定用形状情報）６０が複数種類登録されるサッシ枠データベース（サッシ枠登録部）２２）と、サッシ枠データベース２２に登録された既設下枠形状６０とキー形状５０を比較し、類似度が所定基準を上回った既設下枠形状６０から下枠４０の種類を特定するサッシ枠判定部２３と、を備える。
【００５１】
これにより、下枠４０を建物から取り外したり、治具を用いて実際に採寸したりすることなく、下枠４０の特定を速やかに行うことができる。画像情報から生成されたキー形状５０を利用するので、採寸の仕方や作図のスキルによって下枠の形状が実際の形状から外れてしまい、下枠の種類が正確に把握できない事態の発生を効果的に防止できる。下枠４０の特定により下地材の選定も速やかに行うことができる。特に本実施形態では、既設下枠形状６０に関連付けられた関連情報の中に下地材が含まれているので、下枠４０の特定とともに下地材又はその候補を速やかに決定することができる。
【００５２】
また、本実施形態のサッシ枠特定システム１は、キー形状５０が、下枠４０の画像情報であり、複数種類登録される既設下枠形状６０は下枠の形状に基づくものである。
【００５３】
これにより、上枠や縦枠に比べてバリエーションが多く画像処理によって特徴点を表現しやすく下枠４０が判断対象となるので、判定精度をより一層向上させることができる。
【００５４】
また、本実施形態のサッシ枠特定システム１は、サッシ枠データベース２２には、既設下枠形状６０に設定された以外の枠である上枠及び縦枠の形状情報が当該既設下枠形状６０に関連付けて登録される（図７（ｃ）参照）。
【００５５】
これにより、設定された枠（下枠４０）を特定することでそれ以外の枠（上枠、横枠）が自動的に決まるとともに、設定された下枠４０以外の枠を参照して判定された枠が正しいか否かを判定することも可能となる。
【００５６】
また、本実施形態のサッシ枠特定システム１は、サッシ枠データベース２２には既設下枠形状６０に関連付けて納まり図の画像情報６５が登録される。
【００５７】
これにより、下枠４０の特定によって納まり図の画像情報を取得することができ、実際の施工を行うための作業に速やかに移行することができる。
【００５８】
また、本実施形態のサッシ枠特定システム１は、既設下枠形状６０に対応する新設サッシ枠に関する新設サッシ枠情報が登録される新設サッシデータベース２４と、サッシ枠判定部２３によって特定された下枠４０に対応する納まり図の画像情報６５に新設サッシ枠情報を反映する画像情報生成部２５と、を更に備える。
【００５９】
これにより、新設サッシ枠が反映された画像情報を利用し、施工作業を行うための図面や顧客にリフォーム提案をおこなうための資料を容易に作成することができる。
【００６０】
また、本実施形態のサッシ枠特定システム１は、下枠４０の画像情報が、スマートフォン（携帯端末）１０によって撮影されたものであり、スマートフォン１０から受信したキー形状５０に基づいてサッシ枠判定部２３によって判定された候補サッシ枠の情報をスマートフォン１０に送信可能に構成される。
【００６１】
これにより、スマートフォン１０を利用して下枠４０の特定を現場で行うことができ、現地調査に掛かる時間と手間を効果的に削減できる。ユーザが特別な装置を持つ必要がないのでサッシ枠特定システム１を実現するためのコストも抑制することができる。
【００６２】
以上、本発明の好ましい実施形態について説明したが、本発明は、上述の実施形態に制限されるものではなく、適宜変更が可能である。
【００６３】
上記実施形態では、スマートフォン１０の撮影対象が下枠であり、サッシ枠データベース２２には既設下枠形状６０が登録されているが、この構成に限定されない。上枠又は縦枠をスマートフォン１０の撮影対象としてキー形状を生成し、サッシ枠データベース２２に登録される上枠又は縦枠の形状を示す形状情報とキー形状を比較して上枠又は縦枠を特定するようにしてもよい。
【００６４】
上記実施形態では、新設サッシ枠が反映された納まり図の画像情報を生成したが、３次元画像情報を利用してモデル図を提案図として作成するようにしてもよい。
【００６５】
上記実施形態では、携帯端末としてのスマートフォン１０で撮影された画像情報を用いてサッシ枠の判定を行っているが、この構成に限定されない。デジタルカメラ等の画像情報を用いて同様の判定を行ってもよい。また、ネットワーク２を介さずＳＤカード等のメディアを用いて受付部２１に画像情報を送信する構成としてもよい。
【符号の説明】
【００６６】
１  サッシ枠特定システム
１０  スマートフォン（携帯端末）
２１  受付部
２２  サッシ枠データベース（サッシ枠登録部）
２３  サッシ枠判定部
４０  下枠（サッシ枠）
５０  キー形状（比較用形状情報）
６０  既設下枠形状（特定用形状情報）
６５  納まり図の画像情報
【図１】
2019168924.tif 000003
【図２】
2019168924.tif 000004
【図３】
2019168924.tif 000005
【図４】
2019168924.tif 000006
【図５】
2019168924.tif 000007
【図６】
2019168924.tif 000008
【図７】
2019168924.tif 000009
【図８】
2019168924.tif 000010